(57)【要約】      （修正有）【課題】刃物を使用することなく開封でき、配送中に開封するおそれのない包装容器を提供する。【解決手段】包装容器１０は、キノコ状の係止片２２を嵌合固定する係止口２４を設ける側壁面２０と連続する側壁面１８を有する箱形の容器である。側壁面２０の折り曲げ線２６ａから側壁面２０に略コの字の第一切り込み２４ａ，２４ｂを設けて係止口２４を形成する。側壁面２０に、第一切り込み２４ａ，２４ｂの端部に連続する第二切り込み１８ａ，１８ｂをハの字に設けて係止部３０ａ，３０ｂを形成する。第一切り込み２４ａ，２４ｂと第二切り込み１８ａ，１８ｂと第二切り込みに連続して設けられるミシン目３２ａ，３２ｂとから形成される開封片３４を側壁面１８から剥離して、包装容器１０を開封する。これにより、刃物を使用することなく開封でき、配送中に開封することもない。【選択図】図１
2015078002.tif 000002
【特許請求の範囲】
【請求項１】
キノコ状の係止片を嵌合固定する係止口を設ける第一壁面と連続する第二壁面を有する箱形の容器であって、第一壁面と第二壁面の境界線から第一壁面に略コの字の第一切り込みを設けて係止口を形成するとともに、第二壁面に第一切り込みの端部に連続する第二切り込みをハの字に設けて係止片の係止部を形成し、第一切り込みと第二切り込みと第二切り込みに連続して係止片の幅に設けられるミシン目とから形成される開封片を備え、第二壁面から開封片を剥離することにより、係止片を開放することを特徴とする包装容器。
【請求項２】
第二壁面にすべての開封片を設ける請求項１記載の包装容器。
【発明の詳細な説明】
【技術分野】
【０００１】
本発明は、配送物を梱包するための包装容器に関するものである。
【背景技術】
【０００２】
包装容器の素材としては、主に段ボールを用いたものが多い。例えば、段ボール紙から型抜きしたポスターケースなどの包装容器がある。上記包装容器は、筒部（容器本体）と、その筒部の開口部を覆う蓋部とから構成されている。また、配送中に包装容器が開封しないようにするために、配送物を梱包する際、筒部や蓋部を粘着テープや糊を用いて封函していた。
しかし、粘着テープや糊を用いて封函された包装容器を開封するためには、カッター等の刃物が必要であった。刃物を使って開封する場合、誤って内容物を破損させたり、刃物が人体に触れたりするおそれがあった。
【０００３】
従来、カッター等の刃物を使用することなく、開封することが可能な段ボール製包装用容器が提供されている（たとえば、特許文献１）。
【先行技術文献】
【特許文献】
【０００４】
【特許文献１】特開２００２−１２０８２８号
【発明の概要】
【発明が解決しようとする課題】
【０００５】
特許文献１の段ボール製包装用容器は、天蓋と底板と側壁とで構成される段ボール製包装用容器において、前記天蓋と側壁又は底板と側壁との境界の横方向の折り曲げ線に沿って、一定以上の力で破断する破断部を設けたものである。これにより、開封時に大きな力やカッター等の道具を使用することなく、開封することができる。
【０００６】
しかし、特許文献１の段ボール製包装用容器では、破断部は一定以上の力で破断することから、配送中に折り曲げ線から開封するおそれがあった。
【０００７】
本発明は、上記問題を解決するものであって、刃物を使用することなく開封でき、配送中に開封するおそれのない包装容器を提供することを目的とするものである。
【課題を解決するための手段】
【０００８】
本発明の包装容器は、キノコ状の係止片を嵌合固定する係止口を設ける第一壁面と連続する第二壁面を有する箱形の容器であって、第一壁面と第二壁面の境界線から第一壁面に略コの字の第一切り込みを設けて係止口を形成するとともに、第二壁面に第一切り込みの端部に連続する第二切り込みをハの字に設けて係止片の係止部を形成し、第一切り込みと第二切り込みと第二切り込みに連続して係止片の幅に設けられるミシン目とから形成される開封片を備え、第二壁面から開封片を剥離することにより、係止片を開放するようにしたものである。
また、第二壁面にすべての開封片を設けるようにしたものである。
【発明の効果】
【０００９】
本発明の包装容器は、側壁面に、係止口（差込口）に嵌合固定された係止片（差込片）を開放するための開封用片を設けることから、刃物を使用することなく、安全に開封できる。また、開封用片を用いることにより、簡単に開封でき、容器の解体も容易に行うことができるため、廃棄作業効率が向上する。
また、開封用片の係止部にキノコ状の係止片を係止させることにより、係止片を係止口に確実に固定できるため、配送時に開封するおそれのない。
【図面の簡単な説明】
【００１０】
【図１】本発明の包装容器の展開図を表わす図である。
【図２】本発明の包装容器の開封用片を表わす図である。
【発明を実施するための形態】
【００１１】
本発明は、安全にかつ簡単に包装容器を開封できることを実現するものである。
【実施例】
【００１２】
本発明の包装容器を図に基づいて説明する。図１は、本発明の包装容器の展開図を表わす図である。図２は、本発明の包装容器の開封用片を表わす図であり、図（ａ）は開封前の側壁面を表わす図、図（ｂ）は開封後の側壁面を表わす図である。
本発明の包装容器は、キノコ状の係止片を嵌合固定する係止口を設ける第一壁面と連続する第二壁面を有する箱形の容器であって、第一壁面と第二壁面の境界線から第一壁面に略コの字の第一切り込みを設けて係止口を形成するとともに、第二壁面に第一切り込みの端部に連続する第二切り込みをハの字に設けて係止片の係止部を形成し、第一切り込みと第二切り込みと第二切り込みに連続して係止片の幅に設けられるミシン目とから形成される開封片を備え、第二壁面から開封片を剥離することにより、係止片を開放するようにしたものである。
上記第一壁面、第二壁面、係止口、係止部及び開封片等について、図１及び図２に基づいて説明する。
本発明の包装容器１０は、ポスタ―等を梱包するための箱形の容器（ポスターケース）である。図１の展開図は、段ボール紙を型抜きして形成したものである。包装容器１０の容器本体は、側壁面１２，１４，１６，１８（第二壁面），２０（第一壁面）の５つの面から形成される。側壁面１２，１４，１６，１８，２０は、面１２，１４，１６，１８，２０の順に連続しており、外側の側壁面１２には、係止片（差込片）２２が設けられている。また、側壁面１２の反対側の側壁面２０は、包装容器１０の組み立て時（梱包時）に、側壁面１２と重なる面であり、係止片２２を嵌合固定する係止口（差込口）２４を設けるものである。
図１において、側壁面１２，１４，１６，１８，２０の境界には折り曲げ線２６が形成されている。また、係止片２２は、キノコ状に形成されているものであり、頭部が根元より幅広い形状になっている。
【００１３】
係止口２４は、図１において、側壁面２０（第一壁面）又は側壁面１８（第二壁面）の折り曲げ線２６ａ（第一壁面と第二壁面の境界線）から側壁面２０に、略コの字の第一切り込み２４ａ，２４ｂを設けることにより形成される。すなわち、係止片２２を嵌入できる係止口２４（隙間）は、包装容器１０の組み立て時（梱包時）に、折り曲げ線２６ａから側壁面２０（又は側壁面１８）を折り曲げることにより、側壁面２０に形成されるようになっている。折り曲げ線２６ａに沿って係止口２４を設けることにより、係止口２４に張りを持たせ、係止口２４の嵌合が外れ難くすることができる。
同時に、第一切り込み２４ａ，２４ｂにより、包装容器１０の組み立て時（梱包時）に、側壁面２０に突起部２８が形成される（図２（ａ））。
短い切り込み２４ｂの長さは段ボール紙の厚さと同じ長さである。また、長い切り込み２４ａの長さは、係止片２２の根元の幅と同じ長さになっている。
【００１４】
側壁面１８には、側壁面２０の第一切り込み２４ｂの端部に連続するハの字の第二切り込み１８ａ，１８ｂが設けられている。また、第二切り込み１８ａと１８ｂの最も広がっている部分の間隔の長さは、キノコ状の係止片２２の頭部の幅（左右の張出し部２２ａから２２ｂまでの長さ）と同じ長さに設定されている。これにより、包装容器１０の組み立て時（梱包時）に、キノコ状の係止片２２の頭部の左右の張出し部２２ａ，２２ｂは、側壁面１８に設けた第二切り込み１８ａ，１８ｂによって側壁面１８に形成される係止部３０ａ，３０ｂに係止され固定される。これにより、配送中においても、包装容器１０が開封することはない。
【００１５】
また、側壁面１８に、第二切り込み１８ａ，１８ｂに連続してミシン目３２ａ，３２ｂを設ける。ミシン目３２ａ，３２ｂの幅は、係止片２２の頭部の幅と同じ幅にする。これにより、側壁面１８に、第一切り込み２４ａ，２４ｂと、第二切り込み１８ａ，１８ｂと、側壁面１８のミシン目３２ａ，３２ｂとから形成される開封片３４を設けることができる。
包装容器１０を開封する場合、開封片３４の突起部２８をつまみ、開封片３４をミシン目３２ａ，３２ｂに沿って側壁面１８から剥離する。開封片３４が剥離されると、係止部３０ａ，３０ｂに係止された係止片２２が現れる（図２（ａ））。係止部３０ａ，３０ｂから係止片２２を外すことにより、包装容器１０は展開し、開封される。
このように、包装容器１０の開封は、開封片３４の剥離のみによって行うことができる。従って、開封が簡単であり、また、開封時に刃物を使用しないため安全に開封作業ができる。
【００１６】
さらに、蓋部の壁面５２，５４（第一壁面）と連続する側壁面１８（第二壁面）に、蓋部の壁面５６，５８に設けられている係止片３６，３８を開放する開封片４０，４２及び突起部４４，４６を設け、側壁面１８（第二壁面）にすべての開封片３４，４０，４２を備えることにより（図１、図２）、より早く開封することができる。
なお、蓋部の係止片３６，３８を嵌合固定する係止口４８，５０を形成する切り込み（第一切り込み）は、蓋部の壁面５２，５４（第一壁面）に設けられている（図１）。
【００１７】
本願の実施例では、ポスターケースを例に説明したが、本発明の包装容器は、その他の箱形の容器であってもよい。
【符号の説明】
【００１８】
１０  包装容器
１８、２０、５２、５４  壁面
１８ａ、１８ｂ  第二切り込み
２２、３６、３８  係止片
２４、４８、５０  係止口
２４ａ、２４ｂ  第一切り込み
２６ａ  折り曲げ線
３０ａ、３０ｂ  係止部
３２ａ、３２ｂ  ミシン目
３４、４０、４２  開封片
【図１】
2015078002.tif 000003
【図２】
2015078002.tif 000004